(57)【要約】【課題】ハウジングに水滴が付着しても電源端子同士や負荷端子同士の絶縁性が低下しない自動点滅器を提供する。【解決手段】外光の照度と設定値との大小関係に応じてスイッチを開閉状態を自動的に反転させる制御回路部と、電源線を接続する電源端子Ｔ１１，Ｔ１２および負荷端子Ｔ２１，Ｔ２２とがハウジング１に収納される。電源端子Ｔ１１と負荷端子Ｔ２２との間にスイッチが挿入され、電源端子Ｔ１２と負荷端子Ｔ２１とは電気的に共通接続される。ハウジング１の下部には、電源端子Ｔ１１と負荷端子Ｔ２２とに接続する電線をそれぞれ挿入する２個の独立筒４６が設けられ、電源端子Ｔ１２と負荷端子Ｔ２１とに接続する電線をまとめて挿入する１個の共用筒４５が設けられる。共用筒４５と独立筒４６とはハウジング１の下面に沿った一直線上に配列され、共用筒４５の両側に各独立筒４６が配置される。【選択図】        図１
2004234918.tif 000002
【特許請求の範囲】
【請求項１】
電源線を接続する電源端子および負荷線を接続する負荷端子を備える端子部と、各一方の電源端子と負荷端子との間に挿入されたスイッチを備え外光の照度と設定値との大小に応じてスイッチを自動的に開閉する制御回路部と、制御回路部および端子部を収納したハウジングとを備え、電源端子と負荷端子との各他方は電気的に共通接続され、端子部は、前記他方の電源端子および負荷端子にそれぞれ接続される電源線および負荷線がともに挿入されかつ挿入された電源線および負荷線を前記他方の電源端子および負荷端子に案内する１つの共用筒を備えることを特徴とする自動点滅器。
【請求項２】
前記端子部は、前記各一方の電源端子および負荷端子にそれぞれ接続される電源線および負荷線がそれぞれ挿入されかつ挿入された電源線および負荷線を前記各一方の電源端子および負荷端子にそれぞれ案内する２つの独立筒を備えることを特徴とする請求項１記載の自動点滅器。
【請求項３】
前記共用筒と前記独立筒とは口軸方向に直交する面内の一直線上に配列され、共用筒の両側に各独立筒が配置されることを特徴とする請求項２記載の自動点滅器。
【請求項４】
前記共用筒と前記独立筒との先端はハウジングの外周面よりも内側に後退していることを特徴とする請求項２または請求項３記載の自動点滅器。
【請求項５】
前記共用筒と前記独立筒との先端部はハウジングの外周面よりも外側に突出し、かつ前記独立筒の先端面に前記共用筒から離れるほどハウジングの外側面からの突出量を小さくするように傾斜したカット面が形成されることを特徴とする請求項３記載の自動点滅器。
【発明の詳細な説明】
【０００１】
【発明の属する技術分野】
本発明は、主として照明負荷を負荷とし、負荷と電源との間に挿入されたスイッチを外光の照度に応じて自動的に開閉することによって負荷への給電の入切を自動的に行う自動点滅器に関するものである。
【０００２】
【従来の技術】
この種の自動点滅器は、一般に、商用電源のような電源との間の電源線を接続するための電源端子と、照明負荷のような負荷との間の負荷線を接続するための負荷端子とを備える。すなわち、電源および負荷との接続が簡単になるように、一対の電線からなる電源線と一対の電線からなる負荷線とをそれぞれ接続可能とする電源端子および負荷端子を個別に備えている。電源端子および負荷端子のうちの各一方は電気的に共通接続されており、各他方間にスイッチが挿入される。
【０００３】
ところで、電源端子および負荷端子として、板ばねのばね力を用いて電線を鎖錠する速結端子を採用した構成が知られており、この種の電源端子および負荷端子は電源線および負荷線の各電線をそれぞれ挿入する電線挿入孔を備える。つまり、電源線の一対の電線をそれぞれ挿入する一対の電源挿入孔と負荷線の一対の電線をそれぞれ挿入する一対の電線挿入孔とがそれぞれ隣接して設けられ、電源線用の電線挿入孔の組と負荷線用の電線挿入孔の組とは互いに離れて配置されることが多い（たとえば、特許文献１参照）。
【０００４】
また、図６に示すように、電源端子Ｔ１１，Ｔ１２および負荷端子Ｔ２１，Ｔ２２として、端子ねじ４３を端子板４２に螺合させたねじ付き端子を採用する構成も知られており、端子板４２同士の絶縁のために、隣接する端子板４２の間に仕切板４７を設けることが考えられている（たとえば、特許文献２参照）。特許文献２に記載の構成では、電源端子Ｔ１１，Ｔ１２および負荷端子Ｔ２１，Ｔ２２の端子板４２は略等間隔に配列されており、ハウジング１には、電源線および負荷線をそれぞれ電源端子Ｔ１１，Ｔ１２および負荷端子Ｔ２１，Ｔ２２に導入するために電線導入口４８が開口する。また、ハウジング１の内部において電線導入口４８の周囲には電線を囲む断面Ｕ字状の隔壁４９が形成されている。
【０００５】
【特許文献１】
特開平６−１２９５１号公報（第０００７−０００８段落、図２）
【特許文献２】
特開２００２−３５２６７９号公報（第００１５−００１８段落、図５）
【０００６】
【発明が解決しようとする課題】
ところで、上述した特許文献１の構成では電源端子に対応する一対の電線挿入孔の間隔および負荷端子に対応する一対の電線挿入孔の間隔が比較的近く、また特許文献２の構成では電源端子Ｔ１１，Ｔ１２および負荷端子Ｔ２１，Ｔ２２の間隔が略等間隔になっている。一方、この種の自動点滅器は屋外において使用されることが多く、上述のように、電源端子同士あるいは負荷端子同士の距離が比較的小さい構成では、ハウジングに雨滴などが付着すると電源端子同士あるいは負荷端子同士の絶縁性が低下する可能性がある。
【０００７】
本発明は上記事由に鑑みて為されたものであり、その目的は、ハウジングに水滴が付着しても電源端子同士や負荷端子同士の絶縁性が低下しない自動点滅器を提供することにある。
【０００８】
【課題を解決するための手段】
請求項１の発明は、電源線を接続する電源端子および負荷線を接続する負荷端子を備える端子部と、各一方の電源端子と負荷端子との間に挿入されたスイッチを備え外光の照度と設定値との大小に応じてスイッチを自動的に開閉する制御回路部と、制御回路部および端子部を収納したハウジングとを備え、電源端子と負荷端子との各他方は電気的に共通接続され、端子部は、前記他方の電源端子および負荷端子にそれぞれ接続される電源線および負荷線がともに挿入されかつ挿入された電源線および負荷線を前記他方の電源端子および負荷端子に案内する１つの共用筒を備えることを特徴とする。
【０００９】
請求項２の発明では、請求項１において、前記端子部は、前記各一方の電源端子および負荷端子にそれぞれ接続される電源線および負荷線がそれぞれ挿入されかつ挿入された電源線および負荷線を前記各一方の電源端子および負荷端子にそれぞれ案内する２つの独立筒を備えることを特徴とする。
【００１０】
請求項３の発明では、請求項２の発明において、前記共用筒と前記独立筒とは口軸方向に直交する面内の一直線上に配列され、共用筒の両側に各独立筒が配置されることを特徴とする。
【００１１】
請求項４の発明では、請求項２または請求項３の発明において、前記共用筒と前記独立筒との先端はハウジングの外周面よりも内側に後退していることを特徴とする。
【００１２】
請求項５の発明では、請求項３の発明において、前記共用筒と前記独立筒との先端部はハウジングの外周面よりも外側に突出し、かつ前記独立筒の先端面に前記共用筒から離れるほどハウジングの外側面からの突出量を小さくするように傾斜したカット面が形成されることを特徴とする。
【００１３】
【発明の実施の形態】
（第１実施形態）
図１および図２に示すように、本実施形態に用いるハウジング１は、前面が開放されたベース１０と、ベース１０の前面に被着されるカバー２０とを結合して形成される。ベース１０およびカバー２０は、遮光性を持たせるために、たとえば黒色の合成樹脂成形品により形成してある。ベース１０の内部には内部空間を上下２室に仕切る分離壁１１が一体に形成されている。つまり、分離壁１１も遮光性を有している。ベース１０の内部空間のうち分離壁１１の上方は後述する制御回路部３０を収納する回路収納室１２になり、分離壁１１の下方は後述する端子部４０を収納する端子収納室１３になる。端子収納室１３の下壁の一部には後述する共用筒４５および独立筒４６を露出させるための露出用切欠１０ａが形成されている。ベース１０とカバー２０との結合様式についてはとくに制限はないが、ねじによる結合、ベース１０とカバー２０との係合、ベース１０とカバー２０との接着ないし溶着など周知の構成を採用することができる。
【００１４】
カバー２０は、ベース１０の回路収納室１２に対応する部位であってベース１０に固着されるカバー本体２０ａと、ベース１０の端子収納室１３に対応する部位であってベース１０に対して開閉可能であるカバー蓋２０ｂとからなる。カバー本体２０ａとカバー蓋２０ｂとは薄肉のヒンジ部２０ｃを介して結合され、カバー蓋２０ｂはヒンジ部２０ｃを支点としてカバー本体２０ａに対して前後に開閉可能になっている。カバー蓋２０ｂの両側部にはそれぞれ後方に向かって引掛脚２１が突設され、引掛脚２１の先端部にはボディ１０の下部の両側壁に設けた引掛孔１４の周部に係合可能である係止爪２１ａが突設されている。したがって、カバー蓋２０ｂを閉じた状態では、引掛孔１４の周部に係止爪２１ａが係合することにより、カバー蓋２０ｂが不用意に開かないようにしてある。カバー蓋２０ｂの前面（図２における手前側）の下部には先端部に引掛爪２２ａを有した突片２２が突設され、またカバー蓋２０ｂの前面中央部には矩形枠状であってカバー蓋２０ｂの前面から前方に突出した噛合枠２３が形成される。一方、カバー本体２０ａの中央部には開口窓２４が穿孔されており、開口窓２４の上縁には保持切欠２５が形成される。開口窓２４は噛合枠２３を嵌入可能な寸法を有し、保持切欠２５は開口窓２４に噛合枠２３が嵌合した状態において突片２２の引掛爪２２ａが係合可能となるように形成されている。
【００１５】
ところで、ベース１０とカバー２０との間にはベース１０の前面を覆う内カバー５０が装着される。内カバー５０は、全周に亘って鍔部５１を有し、鍔部５１がベース１０の内周に嵌り込む形でベース１０に装着される。つまり、内カバー５０はベース１０の内部への水滴の浸入を防止する防滴用の部材として機能する。内カバー５０においてベース１０の回路収納室１２を覆う部位の中央部には透光性を有する受光窓５２が前方に突出する形で形成され、ベース１０にカバー２０を装着した状態では受光窓５２が開口窓２４に挿入されるようになっている。内カバー５０は受光窓５２のみが透光性を有していればよいが、内カバー５０の全体を透光性材料により形成することも可能である。内カバー５０において端子収納室１３を覆う下部には、丸孔状の４個の操作孔５３が貫設される。内カバー５０の前面であって各操作孔５３の周部には、操作孔５３を全周に亘って囲む環状突部５３ａが形成される。
【００１６】
ところで、回路収納部１２に収納される制御回路部３０は、印刷配線板３２に電子部品を実装して形成され、印刷配線板３２の一面には外光の照度を検出するために太陽電池からなる受光素子３３が実装され、印刷配線板３２の他面にはリレーＲｙが実装される。制御回路部３０の構成をごく簡略化すれば、図３に示すように、受光素子３３を備える受光回路３１と、リレーＲｙの接点であるスイッチＳＷとからなる回路として表すことができる。受光回路３１では、受光素子３３で検出した外光の照度と設定値との大小を比較し、たとえば、外光の照度が設定値よりも大きい期間には（明るい期間は）スイッチＳＷを開放し、外光の照度が設定値よりも小さい期間にはスイッチＳＷを閉成するように動作する。ここに、スイッチＳＷの開閉状態が反転した後にはスイッチＳＷの開閉状態の反転が生じにくくなる方向に設定値を変化させることによって、外光の照度とスイッチＳＷの開閉状態との関係にヒステリシスを付与するのが望ましい。設定値は印刷配線板３２に抵抗などにより設定されるが、この種の回路は周知であるから、ここでは詳述しない。制御回路部３０には、電源端子Ｔ１１，Ｔ１２および負荷端子Ｔ２１，Ｔ２２を備える端子部４０を介して電源ＡＣおよび負荷ＬＤが接続される。つまり、端子部４０に設けた電源端子Ｔ１１，Ｔ１２には一対の電線からなる電源線を介して商用電源のような電源ＡＣが接続され、端子部４０に設けた負荷端子Ｔ２１，Ｔ２２には一対の電線からなる負荷線を介して照明負荷のような負荷ＬＤが接続される。
【００１７】
図からわかるように、電源端子Ｔ１１は受光回路３１の端子ａに接続され、電源端子Ｔ１２と負荷端子Ｔ２１とは電気的に共通接続されて受光回路３１の端子ｂに接続される。さらに、スイッチＳＷは受光回路３１の端子ｃ，ｄの間に接続され、端子ｄには負荷端子Ｔ２２が接続される。ここに、受光回路３１の端子ａ，ｃは受光回路３１の内部において共通に接続されており、したがって、電源端子Ｔ１１と負荷端子Ｔ２２との間にスイッチＳＷが挿入されていることになる。言い換えると、スイッチＳＷの開閉によって電源ＡＣと負荷ＬＤとからなる回路が入切される。ここに、制御回路部３０におけるスイッチＳＷとして、リレーＲｙの接点に代えて半導体スイッチング素子を用いる構成を採用してもよい。
【００１８】
端子収納室１３に収納される端子部４０は、合成樹脂成形品である端子台４１と、端子台４１に保持される４個のねじ付き端子とにより構成される。各ねじ付き端子は、一端部が印刷配線板３２に接続される端子板４２と、端子板４２の他端部に保持される座金付きの端子ねじ４３とにより構成される。端子台４１は、前面および上面が開放された直方体状の端子保持部４４と、端子保持部４４の下面から下向きに突設された１本の共用筒４５および２本の独立筒４６とからなる。端子保持部４４の内部は３枚の仕切板４４ａにより４つの区画に仕切られ、各区画内にはそれぞれ端子板４２が装着される。また、端子保持部４４の長手方向における両外側面には取付突起４４ｂが突設され、取付突起４４ｂはベース１０における端子収納室１３の内側面に形成した取付凹所１３ａに係合可能になっている。つまり、取付突起４４ｂと取付凹所１３ａとが係合することによって、端子台４１がベース１０に固定される。端子台４１をベース１０に装着した状態では、端子ねじ４３の頭部は操作孔５３に対応する部位に位置する。したがって、図１（ｄ）のようにカバー蓋２０ｂを開いた状態において、ドライバのような工具を環状突部５３ａで案内しながら操作孔５３に挿入することにより（図１においては内カバー５０を省略している）、端子ねじ４３を回すことが可能になる。また、端子台４１をベース１０に装着した状態では、共用筒４５および独立筒４６の下部は露出用切欠１０ａを通してハウジング１の下面側に突出する。
【００１９】
端子板４２は、下部において端子ねじ４３が装着される切欠溝４２ａを有し、上部においては厚み方向に関してＳ字状に折曲された形状に形成されている。すなわち、端子板４２の上部には、ベース１０の分離壁１１の前端部に設けた保持溝１１ａを通ることによって分離壁１１を乗り越える連結片４２ｂと、印刷配線板３２の端部に設けた実装孔３２ａに対して印刷配線板３２の背面側から挿入される接続片４２ｃとが設けられている。このように、接続片４２ｃが印刷配線板３２に接続されることによって、端子板４２が制御回路部３０に接続されるのである。
【００２０】
上述した共用筒４５および独立筒４６は、電源ＡＣとの間の電源線（図示せず）および負荷ＬＤとの間の負荷線（図示せず）となる電線を端子板４２に案内するように形成される。共用筒４５と独立筒４６とは図１（ｃ）に示すように、ハウジング１の下面における左右方向の一直線上（つまり、共用筒４５と独立筒４６との口軸方向に直交する面内の一直線上）に配列されており、共用筒４５の両側に各独立筒４６が配置される。共用筒４５には電線を挿入するための２個の挿入口４５ａ，４５ｂが穿孔され、各独立筒４６には電線を挿入するための１個ずつの挿入口４６ａ，４６ｂが穿孔されている。各挿入口４５ａ，４５ｂ，４６ａ，４６ｂは、端子保持部４４において仕切板４４ａで仕切られた各区画に連通しており、各挿入口４５ａ，４５ｂ，４６ａ，４６ｂに挿通された電線を電源端子Ｔ１１，Ｔ１２および負荷端子Ｔ２１，Ｔ２２にそれぞれ接続することが可能になっている。挿入口４５ａは電源端子Ｔ１２に対応し、挿入口４５ｂは負荷端子Ｔ２１に対応する。また、挿入口４６ａは電源端子Ｔ１１に対応し、挿入口４６ｂは負荷端子Ｔ２２に対応する。
【００２１】
要するに、共通接続された電源端子Ｔ１２と負荷端子Ｔ２１とに対応する電線は共用筒４５を共用して挿入され、スイッチＳＷを介して接続される電源端子Ｔ１１と負荷端子Ｔ２２とに対応する電線はそれぞれ独立筒４６に挿入される。このように、共用筒４５および独立筒４６によって電線が案内され、電線を電源端子Ｔ１１，Ｔ１２および負荷端子Ｔ２１，Ｔ２２に導きやすくなる。共用筒４５および独立筒４５に挿入された電線の先端部は端子ねじ４３の近傍に到達するから、ドライバのような工具を用いて端子ねじ４３を回すことにより、電源端子Ｔ１１，Ｔ１２および負荷端子Ｔ２１，Ｔ２２に電線を接続することができる。
【００２２】
上述の構成によって、スイッチＳＷの両側であって絶縁距離を大きくとる必要がある電源端子Ｔ１１と負荷端子Ｔ２２との距離を大きくとって絶縁距離を比較的大きくすることができ、また、２つの電源端子Ｔ１１，Ｔ１２の間、および２つの負荷端子Ｔ２１，Ｔ２２の間ではそれぞれ共用筒４５と独立筒４６とによって沿面距離を大きくして絶縁距離を比較的大きくとることができる。ここで、電源端子Ｔ１２と負荷端子Ｔ２１とは電気的に共通接続されるから、電源端子Ｔ１２と負荷端子Ｔ２１とに対応する２本の電線を１つの共用筒４５に挿入しても問題はない。つまり、仮に両電線が入れ替わって接続されたとしても問題はない。このように、電源線と負荷線とのうちの各１本の電線をそれぞれ独立筒４６に挿入すれば、電源線と負荷線とのうちの残りの各１本の電線を共用筒４５に挿入することができ、誤接続の可能性を低減することができる。しかも、電線を共用筒４５と独立筒４６とに挿入することによって、絶縁距離を大きくとる必要がある電線間では沿面距離が大きくなり、仮に共用筒４５や独立筒４６の可鍛に水滴が付着したとしても絶縁性を確保することができる。
【００２３】
ところで、ベース１０の後面には後方に突設された支持台１６が連続一体に形成され、支持台１６の上面にはＬ字状の取付金具１７の横片１７ａが取付ねじ１８を用いて取着される。横片１７ａの下面には突起１７ｃ突設され、支持台１６の上面には複数個の凹所１６ｃが形成されており、突起１７ｃがいずれかの凹所１６ｃに係合することにより、取付ねじ１８を中心としてハウジング１と取付金具１７との回転角度を所望角度に固定できるようにしてある。取付金具１７の縦片１７ｂは建物の壁面や電柱の周面のような施工面に固定可能であって、取付金具１７を施工面に固定した状態において、突起１７ｃを係合させる凹所１６ｃを選択することによって施工面に対するハウジング１の向きを変更することができる。つまり、受光窓５２の向きを調節することが可能になる。
【００２４】
（第２実施形態）
第１実施形態では、共用筒４５および独立筒４６を下部がハウジング１の下面から下方に突出するように寸法を設定していたが、本実施形態は、図４に示すように、共用筒４５および独立筒４６の下面がハウジング１の下面よりも内側に後退するように共用筒４５および独立筒４６の寸法を設定している。言い換えると、共用筒４５および独立筒４６の下面がハウジング１の下面に一致するか下面よりもよりも上方に位置する。
【００２５】
この構成によって共用筒４５および独立筒４６がハウジング１の外部に露出することがなく、絶縁性能を向上させたり耐トラッキング性を向上させるために熱可塑性樹脂に比較して割れやすい熱硬化性樹脂を共用筒４５および絶縁筒４６の材料として選択する場合であっても、共用筒４５や独立筒４６に対して他部材の衝突や落下衝撃による衝撃力が作用しにくく、共用筒４５や独立筒４６の割れを防止することが可能になる。他の構成および機能は第１実施形態と同様である。
【００２６】
（第３実施形態）
第１実施形態では共用筒４５および独立筒４６の下面が平面であるが、本実施形態は、図５に示すように、各独立筒４６の下面に、それぞれ共用筒４５から離れるほどハウジング１の外側面からの突出量を小さくするように傾斜したカット面４６ｃを形成している点が相違する。各独立筒４６の下面の全面をカット面４６ｃとすることも可能であるが、独立筒４６の外側面とカット面４６ｃとが鋭角で交差することのないように、各独立筒４６の下面のうち共用筒４５に近い部位はハウジング１の下面に略平行な面とし、共用筒４５から遠い部位をカット面４６ｃとするのが望ましい。
【００２７】
本実施形態では、共用筒４５の両側に設けた各独立筒４６の下面にカット面４６ｃを形成していることによって、独立筒４６の下面に形成される角部分の内角を鈍角にすることが可能であり、結果的に独立筒４６に衝撃力が作用しても独立筒４６が割れにくくなる。なお、共用筒４５は独立筒４６の間に位置しているから共用筒４５には衝撃力が作用しにくい配列になっている。つまり、絶縁性能を向上させたり耐トラッキング性を向上させるために熱可塑性樹脂に比較して割れやすい熱硬化性樹脂を共用筒４５および絶縁筒４６の材料として選択し、しかも、共用筒４５および独立筒４６をハウジング１の下面から突出させる構成を採用しても共用筒４５や独立筒４６が衝撃力で割れる可能性を低減することができる。その結果、共用筒４５および独立筒４６がハウジング１の下面から突出していることによって、共用筒４５および独立筒４６への電線の挿入位置がわかりやすく、電線の挿入作業も容易になる。他の構成および機能は第１実施形態と同様である。
【００２８】
【発明の効果】
請求項１の発明は、電源線を接続する電源端子および負荷線を接続する負荷端子を備える端子部と、各一方の電源端子と負荷端子との間に挿入されたスイッチを備え外光の照度と設定値との大小に応じてスイッチを自動的に開閉する制御回路部と、制御回路部および端子部を収納したハウジングとを備え、電源端子と負荷端子との各他方は電気的に共通接続され、端子部は、前記他方の電源端子および負荷端子にそれぞれ接続される電源線および負荷線がともに挿入されかつ挿入された電源線および負荷線を前記他方の電源端子および負荷端子に案内する１つの共用筒を備えるものであり、共通接続される電源端子と負荷端子とに対応する２本の電線を１つの共用筒に通すことによって、電源端子と負荷端子とのうち絶縁すべき端子間の沿面距離を大きくとることができ、結果的に水滴の付着時などにおける絶縁性の確保が容易になる。また、共用筒を設けていることによって、単に電線挿入用の孔を形成している場合に比較すると電線の挿入位置がわかりやすくなる。
【００２９】
請求項２の発明では、請求項１において、端子部は、前記各一方の電源端子および負荷端子にそれぞれ接続される電源線および負荷線がそれぞれ挿入されかつ挿入された電源線および負荷線を前記各一方の電源端子および負荷端子にそれぞれ案内する２つの独立筒を備えるものであり、電源端子と負荷端子とのうち絶縁すべき端子間の沿面距離を共用筒と独立筒との両方で確保することになるから、沿面距離が大きくなり、結果的に水滴の付着時などにおける絶縁性の確保が容易になる。しかも、共用筒と独立筒とに分けて電線を挿入するから、単に電線挿入用の孔を形成している場合に比較すると電線の挿入位置がわかりやすくなる。
【００３０】
請求項３の発明では、請求項２の発明において、共用筒と独立筒とは口軸方向に直交する面内の一直線上に配列され、共用筒の両側に各独立筒が配置されるので、両独立筒間に共用筒が存在することにより両独立筒の間の距離を大きくとることが可能になり、絶縁性を確保すべき電源端子と負荷端子との絶縁距離を大きくとることができる。しかも、電源線と負荷線とのうち区別の必要な電線が離れて位置する各独立筒に挿入されるから、接続関係がわかりやすくなる。
【００３１】
請求項４の発明では、請求項２または請求項３の発明において、共用筒と独立筒との先端はハウジングの外周面よりも内側に後退しているので、共用筒および独立筒がハウジングの外部に露出せず、共用筒および独立筒が衝撃力によって割れる可能性を低減することができる。
【００３２】
請求項５の発明では、請求項３の発明において、共用筒と独立筒との先端部はハウジングの外周面よりも外側に突出し、かつ独立筒の先端面に共用筒から離れるほどハウジングの外側面からの突出量を小さくするように傾斜したカット面が形成されるので、共用筒および独立筒をハウジングの外部に露出させながらも衝撃力によって共用筒および独立筒が割れる可能性を低減することができ、しかも共用筒および独立筒がハウジングから露出可能であることによって電源線および負荷線の挿入位置がわかりやすく、電線の挿入作業が容易になる。つまり、共用筒および独立筒の破損を防止しながらも、電線の接続作業が容易になる。
【図面の簡単な説明】
【図１】本発明の第１実施形態を示し、（ａ）は正面図、（ｂ）は側面図、（ｃ）は下面図、（ｄ）はカバー蓋を開いた状態の正面図である。
【図２】同上の分解斜視図である。
【図３】同上のブロック図である。
【図４】本発明の第２実施形態を示し、（ａ）は正面図、（ｂ）は側面図、（ｃ）は下面図、（ｄ）はカバー蓋を開いた状態の正面図である。
【図５】本発明の第３実施形態を示し、（ａ）は正面図、（ｂ）は側面図、（ｃ）は下面図、（ｄ）はカバー蓋を開いた状態の正面図である。
【図６】従来例を示し、（ａ）は正面図、（ｂ）は側面図、（ｃ）は下面図、（ｄ）はカバー蓋を開いた状態の正面図である。
【符号の説明】
１  ハウジング
３０  制御回路部
４０  端子部
４５  共用筒
４６  独立筒
４６ｃ  カット面
ＳＷ  スイッチ
Ｔ１１，Ｔ１２  電源端子
Ｔ２１，Ｔ２２  負荷端子
【図１】
2004234918.tif 000003
【図２】
2004234918.tif 000004
【図３】
2004234918.tif 000005
【図４】
2004234918.tif 000006
【図５】
2004234918.tif 000007
【図６】
2004234918.tif 000008